(57)【要約】【課題】本発明は左右の建物が異なる方向に大きく揺れ動いても、その揺れ動きを吸収して損傷するのを確実に防止し、揺れ動きが停止すると自動的に元の状態の戻る、製造や取付けが容易で、安価な壁面用目地装置を得るにある。【解決手段】左右の建物間の目地部側の一方の建物の外壁面に回動可能に取付けられた一方の目地パネルと、一方の目地パネルの先端部の背面に形成された鋭角の傾斜面と、一方の目地パネルと対応する部位の他方の建物の外壁面に回動可能に取付けられた他方の目地パネルと、この目地パネルの先端部をアングル状に折り曲げて突出さ、該突出部の背面に鋭角の傾斜面に形成された支持部と、この支持部の先端部の背面に一端部が取付けられ、他端部が一方の目地パネルの背面の一方の建物の外壁面に取付けられたワイヤーをスプリングで付勢する他方の付勢機構と、一方の目地パネルの先端部寄りの背面に一端部が取付けられ、他端部が他方の目地パネルの背面の他方の建物の外壁面に取付けられたワイヤーをスプリングで付勢する一方の付勢機構とで壁面用目地装置を構成している。【選択図】  図３
2004285739.tif 000002
【特許請求の範囲】
【請求項１】
左右の建物間の目地部側の一方の建物の外壁面に後端部がヒンジ部材で先端部が前方へ回動可能に取付けられた一方の目地パネルと、この一方の目地パネルの背面に所定間隔で固定された、該一方の目地パネルを取付面に対しほぼ直角な位置で停止させる複数個の一方の補強板と、前記一方の目地パネルの先端部の背面に形成された鋭角の傾斜面と、前記一方の目地パネルと対応する部位の他方の建物の外壁面に後端部がヒンジ部材で、該一方の目地パネルの先端部と当接する先端部が前方へ回動可能に取付けられた他方の目地パネルと、この他方の目地パネルの背面に所定間隔で固定された、該他方の目地パネルを取付面に対してほぼ直角な位置で停止させる複数個の他方の補強板と、前記他方の目地パネルの先端部をアングル状に折り曲げて突出させるとともに、該突出部の背面に鋭角の傾斜面に形成された支持部と、この支持部の先端部の背面に一端部が取付けられ、他端部が前記一方の目地パネルの背面の一方の建物の外壁面に取付けられたワイヤーをスプリングで付勢する他方の付勢機構と、前記一方の目地パネルの先端部寄りの背面に一端部が取付けられ、他端部が前記他方の目地パネルの背面の他方の建物の外壁面に取付けられたワイヤーをスプリングで付勢する一方の付勢機構とからなることを特徴とする壁面用目地装置。
【請求項２】
左右の建物間の目地部側の一方の建物の外壁面に後端部がヒンジ部材で取付けられた前方へ回動する先端部の背面が鋭角の傾斜面に形成された一方の目地パネルと、この一方の目地パネルを取付面に対しほぼ直角な位置で停止させる少なくとも１個以上の一方のストッパー片と、前記一方の目地パネルと対応する部位の他方の建物の外壁面に後端部がヒンジ部材で取付けられた前方へ回動し、前記一方の目地パネルの先端部と当接するアングル状に折り曲げて突出させるとともに、該突出部の背面を鋭角の傾斜面に形成された支持部を有する他方の目地パネルと、この他方の目地パネルの取付面に対してほぼ直角な位置で停止させる少なくとも１個以上の他方のストッパー片と、前記他方の目地パネル支持部の先端部の背面に一端部が取付けられ、他端部が前記一方の目地パネルの背面の一方の建物の外壁面に取付けられたワイヤーをスプリングで付勢する他方の付勢機構と、前記一方の目地パネルの先端部寄りの背面に一端部が取付けられ、他端部が前記他方の目地パネルの背面の他方の建物の外壁面に取付けられたワイヤーをスプリングで付勢する一方の付勢機構とからなることを特徴とする壁面用目地装置。
【発明の詳細な説明】
【０００１】
【発明の属する技術分野】
本発明は左右の建物の外壁面間の目地部を覆う壁面用目地装置に関する。
【０００２】
【従来の技術】
従来の壁面用目地装置は伸縮リンクのほぼ中央部に台形状の支持体を設け、先端部を該支持体の両端部と係止される傾斜面に形成された一対の目地パネルを左右の建物の外壁面にヒンジ部材で取付けている。
【０００３】
［特許文献］      特許３１２２４１０
【０００４】
【発明が解決しようとする課題】
従来の壁面用目地装置は伸縮リンクを用いているため、移動量を大きく設定することができないとともに、構造が複雑で、取付けに手数がかかりコスト高になるという欠点があった。
【０００５】
本発明は以上のような従来の欠点に鑑み、左右の建物が異なる方向に大きく揺れ動いても、その揺れ動きを吸収して損傷するのを確実に防止することができるとともに、揺れ動きが停止すると自動的に元の状態に戻すことができる、製造や取付けが容易で、安価な壁面用目地装置を提供することを目的としている。
【０００６】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００７】
【課題を解決するための手段】
上記目的を達成するために、本発明は左右の建物間の目地部側の一方の建物の外壁面に後端部がヒンジ部材で先端部が前方へ回動可能に取付けられた一方の目地パネルと、この一方の目地パネルの背面に所定間隔で固定された、該一方の目地パネルを取付面に対しほぼ直角な位置で停止させる複数個の一方の補強板と、前記一方の目地パネルの先端部の背面に形成された鋭角の傾斜面と、前記一方の目地パネルと対応する部位の他方の建物の外壁面に後端部がヒンジ部材で、該一方の目地パネルの先端部と当接する先端部が前方へ回動可能に取付けられた他方の目地パネルと、この他方の目地パネルの背面に所定間隔で固定された、該他方の目地パネルを取付面に対してほぼ直角な位置で停止させる複数個の他方の補強板と、前記他方の目地パネルの先端部をアングル状に折り曲げて突出させるとともに、該突出部の背面に鋭角の傾斜面に形成された支持部と、この支持部の先端部の背面に一端部が取付けられ、他端部が前記一方の目地パネルの背面の一方の建物の外壁面に取付けられたワイヤーをスプリングで付勢する他方の付勢機構と、前記一方の目地パネルの先端部寄りの背面に一端部が取付けられ、他端部が前記他方の目地パネルの背面の他方の建物の外壁面に取付けられたワイヤーをスプリングで付勢する一方の付勢機構とで壁面用目地装置を構成している。
【０００８】
【発明の実施の形態】
以下、図面に示す実施の形態により、本発明を詳細に説明する。
【０００９】
図１ないし図１２に示す本発明の第１の実施の形態において、１は左右の建物２、２間の目地部３を開放可能に覆う本発明の壁面用目地装置で、この壁面用目地装置１は前記左右の建物２、２の目地部３側の外壁面２ａ、２ａに複数本のタッピングビスやビス４等によって固定されたヒンジ部材５、５と、この一方の建物２の外壁面２ａに固定されたヒンジ部材５の可動部材５ａに後端部が複数本のビス４等によって固定された一方の目地パネル６と、この一方の目地パネル６の背面に所定間隔で固定された、該一方の目地パネル６を取付面である外壁面２ａに対しほぼ直角な位置で停止させる複数個の一方の補強板７と、前記他方の建物２の外壁面２ａに固定されたヒンジ部材５の可動部材５ａに後端部が複数本のビス４等によって固定された先端部が前記一方の目地パネル６の先端部と当接する他方の目地パネル８と、この他方の目地パネル８の背面に所定間隔で固定された該他方の目地パネル８を取付面である外壁面２ａに対しほぼ直角な位置で停止させる複数個の他方の補強板９と、前記他方の目地パネル８の先端部の背面に一端部が取付けられ、他端部が前記一方の目地パネル６の背面の一方の建物２の外壁面２ａに取付けられたワイヤー１０をスプリング１１で付勢する他方の付勢機構１２と、前記一方の目地パネル６の先端部寄りの背面に一端部が取付けられ、他端部が前記他方の目地パネル８の背面の他方の建物２の外壁面２ａに取付けられたワイヤー１０をスプリング１１で付勢する一方の付勢機構１３とで構成されている。
【００１０】
前記ヒンジ部材５、５は図４に示すように、一端部がクランク状に曲げられた固定部材１４と、この固定部材１４に所定間隔で形成された複数個のビス挿入孔１５と、前記固定部材１４の一端部に枢支ピン１６を介して回動可能に取付けられた可動部材５ａとで構成されている。
【００１１】
前記一方の目地パネル６は図５に示すように、平板状の一方の目地パネル本体１７と、この一方の目地パネル本体１７の先端部を鋭角となるように背面に曲げて形成した傾斜面１８と、この傾斜面１８の先端部側を除く部位に形成されたワイヤー取付部１９とで構成されている。
【００１２】
前記複数個の一方の補強板７は図６に示すように、一方の目地パネル６が閉じた状態で後端部が前記ヒンジ部材５の固定部材１４に当接するほぼ三角形状の一方の補強板本体２０と、この一方の補強板本体２０の前記一方の目地パネル６側の端部をほぼ直角に折り曲げて形成した取付片２１と、前記一方の補強板本体２０の後端部に前記ヒンジ部材５の回動を阻止しないように形成された切欠部２２とで構成されている。
【００１３】
前記他方の目地パネル８は図７に示すように、平板状の他方の目地パネル本体２３と、この他方の目地パネル本体２３の先端部をアングル状に折り曲げて突出させた突出部２４を形成するとともに、該突出部２４の背面に鋭角の傾斜面２５に形成された支持部２６と、この支持部２６の傾斜面２５の先端部に形成されたワイヤー取付部２７とで構成されている。
【００１４】
前記複数個の他方の補強板９は図８に示すように、他方の目地パネル８が閉じた状態で後端部が前記ヒンジ部材５の固定部材１４に当接するほぼ三角形状の他方の補強板本体２８と、この他方の補強板本体２８の前記他方の目地パネル８側の端部をほぼ直角に折り曲げ形成した取付片２９と、前記他方の補強板本体２８の後端部に前記ヒンジ部材５の回動を阻止しないように形成された切欠部３０とで構成されている。
【００１５】
上記構成の壁面用目地装置１は、地震等によって左右の建物２、２が異なる左右方向に揺れ動き目地部３が広くなった場合には、図９に示すように一方の目地パネル６と他方の目地パネル８が停止状態で先端部が離間して、その揺れ動きを吸収する。
【００１６】
目地部３が狭くなった場合には図１０に示すように、一方の目地パネル６の先端部の背面の傾斜面１８が他方の目地パネル８の先端部をスライド移動して、一方の目地パネル６の先端部が一方の付勢機構１３のスプリング１１の付勢力に抗して前方へ回動し、その揺れ動きを吸収する。
また、揺れ動きが停止すると、一方の付勢機構１３と他方の付勢機構１２のワイヤー１０、１０によって、一方の目地パネル６と他方の目地パネル８の先端部が元の状態に自動的に戻る。
【００１７】
左右の建物２、２が異なる前後方向で、一方の目地パネル６が前方へ移動する場合には、図１１に示すように一方の目地パネル６が停止状態で、他方の目地パネル８の先端部が前方へ回動して、その揺れ動きを吸収する。
揺れ動きが停止すると、他方の目地パネル８が他方の付勢機構１２のスプリング１１で付勢されているため、該他方の目地パネル８の先端部が一方の目地パネル６の先端部の前面に位置するのを阻止でき、元の状態に自動的に戻る。
【００１８】
左右の建物２、２が異なる前後方向で、一方の目地パネル６が後方へ移動する場合には、図１２に示すように他方の目地パネル８が停止状態で、一方の目地パネル６の先端部が前方へ回動して、その揺れ動きを吸収する。
揺れ動きが停止すると、一方の目地パネル６の先端部は他方の付勢機構１２のワイヤー１０に沿ってスライド移動して、元の状態に自動的に戻る。
【００１９】
【発明の異なる実施の形態】
次に、図１３ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００２０】
図１３ないし図１７に示す本発明の第２の実施の形態において、前記本発明の第１の実施の形態と主に異なる点は、巻取り機構３１を用いた一方の付勢機構１３Ａと他方の付勢機構１２Ａとを用いた点で、このような一方の付勢機構１３Ａと他方の付勢機構１２Ａとを用いて構成した壁面用目地装置１Ａにしても、前記本発明の第１の実施の形態と同様な作用効果が得られるとともに、一方、他方の付勢機構１３Ａ、１２Ａ設置に長い寸法の設置スペースが不要で、コンパクトに設置することができる。
【００２１】
なお、前記巻取り機構３１は図１６および図１７に示すように、ワイヤー１０の後端部が固定され、外周部に巻付けられる両端部に軸受部材３２、３２が取付けられた円筒状のドラム３３と、このドラム３３が回転可能に該ドラム３３内に貫通する軸３４と、この軸３４の外周部に螺旋状に巻付けられた一端部が該軸３４にビス３５で固定され、他端部が前記ドラム３３にビス３５等によって固定されたコイルスプリング３６と、前記ドラム３３の両端部に位置してフランジ部となるように、前記軸３４の両端部にビス３７等によって固定された複数本のビス３８等によって外壁面２ａに固定できる一対のブラケット３９、３９と、前記ドラム３３の端部寄りの部位に固定された、設置時に該ドラム３３にロープ４０を巻付けて引き出すことにより、コイルスプリング３６に付勢力を生じさせるロープ取付片４１とで構成されている。
【００２２】
図１８ないし図２０に示す本発明の第３の実施の形態において、前記本発明の第２の実施の形態と主に異なる点は、一方の目地パネル本体１７の背面に一方の補強枠４２を固定した一方の目地パネル６Ａと、他方の目地パネル本体２３の背面に他方の補強枠４３を固定した他方の目地パネル８Ａと、この他方の目地パネル８Ａの他方の補強枠４３に固定した、該他方の目地パネル８Ａの取付面に対してほぼ直角な位置で停止させるストッパー片４４と、前記一方の目地パネル６Ａの一方の補強枠４２に固定した、該一方の目地パネル６Ａの取付面に対してほぼ直角な位置で停止させるストッパー片４５とを用いた点で、このように構成した壁面用目地装置１Ｂにしても、前記本発明の第２の実施の形態と同様な作用効果が得られる。
【００２３】
【発明の効果】
以上の説明から明らかなように、本発明にあっては次に列挙する効果が得られる。
【００２４】
（１）左右の建物間の目地部側の一方の建物の外壁面に後端部がヒンジ部材で先端部が前方へ回動可能に取付けられた一方の目地パネルと、この一方の目地パネルの背面に所定間隔で固定された、該一方の目地パネルを取付面に対しほぼ直角な位置で停止させる複数個の一方の補強板と、前記一方の目地パネルの先端部の背面に形成された鋭角の傾斜面と、前記一方の目地パネルと対応する部位の他方の建物の外壁面に後端部がヒンジ部材で、該一方の目地パネルの先端部と当接する先端部が前方へ回動可能に取付けられた他方の目地パネルと、この他方の目地パネルの背面に所定間隔で固定された、該他方の目地パネルを取付面に対してほぼ直角な位置で停止させる複数個の他方の補強板と、前記他方の目地パネルの先端部をアングル状に折り曲げて突出させるとともに、該突出部の背面に鋭角の傾斜面に形成された支持部と、この支持部の先端部の背面に一端部が取付けられ、他端部が前記一方の目地パネルの背面の一方の建物の外壁面に取付けられたワイヤーをスプリングで付勢する他方の付勢機構と、前記一方の目地パネルの先端部寄りの背面に一端部が取付けられ、他端部が前記他方の目地パネルの背面の他方の建物の外壁面に取付けられたワイヤーをスプリングで付勢する一方の付勢機構とで構成されているので、左右の建物が地震等によって異なる前後左右方向に揺れ動いても、一方の目地パネルおよび他方の目地パネルの先端部が前方へ任意に回動して、その揺れ動きを吸収することができる。
したがって、目地パネル等の損傷を確実に防止することができる。
【００２５】
（２）前記（１）によって、揺れ動きが停止すると一方の付勢機構と他方の付勢機構のスプリングで付勢されたワイヤーによって、一方の目地パネルと他方の目地パネルの先端部がガイドされ、元の状態に自動的に戻すことができる。
したがって、メンテナンスが不要で、安価に使用することができる。
【００２６】
（３）前記（１）によって、一方の付勢機構と他方の付勢機構で自動的に元に戻すことができるので、構造が簡単で、安価に設置することができる。
【００２７】
（４）請求項２も前記（１）〜（３）と同様な効果が得られる。
【図面の簡単な説明】
【図１】本発明の第１の実施の形態の正面図。
【図２】本発明の第１の実施の形態の背面図。
【図３】図１の３−３線に沿う拡大断面図。
【図４】本発明の第１の実施の形態のヒンジ部材の説明図。
【図５】本発明の第１の実施の形態の一方の目地パネルの説明図。
【図６】本発明の第１の実施の形態の一方の補強板の説明図。
【図７】本発明の第１の実施の形態の他方の目地パネルの説明図。
【図８】本発明の第１の実施の形態の他方の補強板の説明図。
【図９】本発明の第１の実施の形態の目地部が広くなった動作説明図。
【図１０】本発明の第１の実施の形態の目地部が狭くなった動作説明図。
【図１１】一方の目地パネルが前方へ移動した動作説明図。
【図１２】一方の目地パネルが後方へ移動した動作説明図。
【図１３】本発明の第２の実施の形態の正面図。
【図１４】本発明の第２の実施の形態の背面図。
【図１５】図１３の１５−１５線に沿う拡大断面図。
【図１６】本発明の第２の実施の形態の巻取り装置の断面図。
【図１７】本発明の第２の実施の形態の巻取り装置の分解斜視図。
【図１８】本発明の第３の実施の形態の正面図。
【図１９】本発明の第３の実施の形態の背面図。
【図２０】図１８の２０−２０線に沿う拡大断面図。
【符号の説明】
１、１Ａ、１Ｂ：壁面用目地装置、
２：建物、              ３：目地部、
４：ビス、              ５：ヒンジ部材、
６、６Ａ：一方の目地パネル、
７：一方の補強板、
８、８Ａ：他方の目地パネル、
９：他方の補強板、      １０：ワイヤー、
１１：スプリング、
１２、１２Ａ：他方の付勢機構、
１３、１３Ａ：一方の付勢機構、
１４：固定部材、        １５：ビス挿入孔、
１６：枢支ピン、
１７：一方の目地パネル本体、
１８：傾斜面、          １９：ワイヤー取付部、
２０：一方の補強板本体、２１：取付片、
２２：切欠部、
２３：他方の目地パネル本体、
２４：突出部、          ２５：傾斜面、
２６：支持部、          ２７：ワイヤー取付部、
２８：他方の補強板本体、２９：取付片、
３０：切欠部、          ３１：巻取り機構、
３２：軸受部材、        ３３：ドラム、
３４：軸、              ３５：ビス、
３６：コイルスプリング、３７：ビス、
３８：ビス、            ３９：ブラケット、
４０：ロープ、          ４１：ロープ取付片、
４２：一方の補強枠、    ４３：他方の補強枠、
４４：ストッパー片、    ４５：ストッパー片。
【図１】
2004285739.tif 000003
【図２】
2004285739.tif 000004
【図３】
2004285739.tif 000005
【図４】
2004285739.tif 000006
【図５】
2004285739.tif 000007
【図６】
2004285739.tif 000008
【図７】
2004285739.tif 000009
【図８】
2004285739.tif 000010
【図９】
2004285739.tif 000011
【図１０】
2004285739.tif 000012
【図１１】
2004285739.tif 000013
【図１２】
2004285739.tif 000014
【図１３】
2004285739.tif 000015
【図１４】
2004285739.tif 000016
【図１５】
2004285739.tif 000017
【図１６】
2004285739.tif 000018
【図１７】
2004285739.tif 000019
【図１８】
2004285739.tif 000020
【図１９】
2004285739.tif 000021
【図２０】
2004285739.tif 000022